(57)【要約】【課題】  装置本体の小型化と、空間ダイバシティによる受信性能の向上とを両立させること。【解決手段】  チューナ部５ａは、固定アンテナＡＮＴ１を介して受信したテレビ放送の増幅、中間周波信号への変換及び利得制御等を行う。チューナ部５ｂは、イヤホン７ｂに内蔵された小型アンテナ７０ｂを介して受信したテレビ放送の増幅、中間周波信号への変換及び利得制御等を行う。第１処理系ブロック２０ａにおいて、チューナ部５ａから出力された信号をＡ／Ｄ変換、同期処理及びＦＦＴ処理する。第２処理系ブロック２０ｂにおいて、チューナ部５ｂから出力された信号に対して、第１処理系ブロック２０ａと同様の処理を行う。合成回路３０は、信号ＤＳａと信号ＤＳｂとを合成する。復調回路４０は、合成回路３０から出力された信号を復調し、誤り訂正回路５０は、誤り訂正処理を行う。【選択図】図２
2005260701.tif 000002
【特許請求の範囲】
【請求項１】
装置本体にイヤホンが接続されて成るダイバシティ受信装置において、
電波信号を受信する第１及び第２の受信手段と、
この第１及び第２の受信手段夫々によって受信された受信信号を合成する合成手段と、
この合成手段により合成された信号を復調する復調手段と、
を備え、前記第１の受信手段は前記装置本体内に設けられ、前記第２の受信手段は前記イヤホン内に設けられると共に、前記第１及び第２の受信手段が互いに所定の距離を有して配置されていることを特徴とするダイバシティ受信装置。
【請求項２】
前記第１の受信手段は前記装置本体内にアンテナを有し、前記第２の受信手段は前記装置本体と前記イヤホンとを電気的に接続する信号線をアンテナとすることを特徴とする請求項１記載のダイバシティ受信装置。
【請求項３】
装置本体に左右一対のイヤホンが接続されて成るダイバシティ受信装置において、
電波信号を受信する第１及び第２の受信手段と、
この第１及び第２の受信手段夫々によって受信された受信信号を合成する合成手段と、
この合成手段により合成された信号を復調する復調手段と、
を備え、前記第１の受信手段が前記左右一対の一方のイヤホン内に設けられ、前記第２の受信手段が他方のイヤホン内に設けられると共に、前記第１及び第２の受信手段が互いに所定の距離を有して配置されることを特徴とするダイバシティ受信装置。
【請求項４】
前記第１の受信手段は前記装置本体と前記一方のイヤホンとを電気的に接続する信号線をアンテナとし、前記第２の受信手段は前記装置本体と前記他方のイヤホンとを電気的に接続する他の信号線をアンテナとすることを特徴とする請求項３記載のダイバシティ受信装置。
【請求項５】
装置本体に左右一対のイヤホンが接続されて成るダイバシティ受信装置において、
電波信号を受信する第１及び第２の受信手段と、
前記第１及び第２の受信手段により受信された電波信号を増幅する第１及び第２の増幅手段と、
この第１及び第２の増幅手段夫々によって増幅された受信信号を加算する加算手段と、
この加算手段により加算された信号を増幅し復調する復調手段と、
を備え、前記第１の受信手段が前記左右一対の一方のイヤホン内に設けられ前記第２の受信手段が他方のイヤホン内に設けられると共に、前記第１及び第２の受信手段が互いに所定の距離を有して配置されることを特徴とするダイバシティ受信装置。
【請求項６】
電波信号を受信する第１の受信手段を装置本体に設け、電波信号を受信する第２の受信手段をイヤホンに設け、前記装置本体に前記イヤホンが接続されて成るダイバシティ受信装置を用いたダイバシティ受信方法であって、
前記第１及び第２の受信手段夫々によって受信された受信信号を合成する合成ステップと、
この合成ステップにより合成された信号を復調する復調ステップと、
を含むダイバシティ受信方法。
【請求項７】
電波信号を受信する第１の受信手段を左右一対の一方のイヤホンに設け、電波信号を受信する第２の受信手段を他方のイヤホンに設け、前記装置本体に前記左右一対のイヤホンが接続されて成るダイバシティ受信装置を用いたダイバシティ受信方法であって、
前記第１及び第２の受信手段夫々によって受信された受信信号を合成する合成ステップと、
この合成ステップにより合成された信号を復調する復調ステップと、
を含むダイバシティ受信方法。
【請求項８】
電波信号を受信する第１の受信手段を左右一対の一方のイヤホンに設け、電波信号を受信する第２の受信手段を他方のイヤホンに設け、前記装置本体に前記左右一対のイヤホンが接続されて成るダイバシティ受信装置を用いたダイバシティ受信方法であって、
前記第１及び第２の受信手段により受信された電波信号を増幅する第１及び第２の増幅ステップと、
この第１及び第２の増幅ステップ夫々によって増幅された受信信号を加算する加算ステップと、
この加算ステップにより加算された信号を増幅し復調する復調ステップと、
を含むダイバシティ受信方法。
【発明の詳細な説明】
【技術分野】
【０００１】
本発明は、装置本体にイヤホンが接続されて成るダイバシティ受信装置及びダイバシティ受信方法に関する。
【背景技術】
【０００２】
従来から、フェージング等の受信状況の悪化に伴う伝送品質の低下を防止する受信技術として、複数のアンテナを用いた空間ダイバシティにより電波信号を受信するダイバシティ受信装置が知られている。
【０００３】
図７は、従来のダイバシティ受信装置の一例として、ＯＦＤＭ（Orthogonal Frequency Division Multiplexing：直交周波数分割多重方式）により変調された地上波デジタルテレビ放送（以下、「テレビ放送」と略す。）をダイバシティ受信する受信装置９００の機能構成を示すブロック図である。図７によれば、受信装置９００は、固定アンテナＡＮＴ１を介してテレビ放送を受信するチューナ部５ａと、固定アンテナＡＮＴ３を介してテレビ放送を受信するチューナ部５ｂと、復調部９と、復号部１１とを備えて構成される。
【０００４】
復調部９は、第１処理系ブロック２０ａと、第２処理系ブロック２０ｂと、合成回路３０と、復調回路４０と、誤り訂正回路５０とを備えて構成される。また、第１処理ブロック２０ａは、ＡＤＣ（Analog Digital Converter）回路２２ａと、同期回路２４ａと、ＦＦＴ（Fast Fourier Transform：高速フーリエ変換）回路２６ａとを備え、第２処理系ブロック２０ｂは、ＡＤＣ回路２２ｂと、同期回路２４ｂと、ＦＦＴ回路２６ｂとを備えて構成される。
【０００５】
チューナ部５ａは、固定アンテナＡＮＴ１を介して受信されたテレビ放送の増幅、中間周波信号への変換、及び利得制御等を行い、復調部９へ出力する。
【０００６】
復調部９の第１処理系ブロック２０ａにおいて、ＡＤＣ回路２２ａは、チューナ部５ａから出力された信号をＡ／Ｄ変換する。同期回路２４ａは、ＡＤＣ回路２２ａによりＡ／Ｄ変換されたデジタル信号を直交復調することによりベースバンドであるＯＦＤＭ信号に再生する。ＦＦＴ回路２６ａはＦＦＴ処理して、合成回路３０へ出力する。
【０００７】
固定アンテナＡＮＴ３、チューナ部５ｂ及び第２処理系ブロック２０ｂの機能・動作は、固定アンテナＡＮＴ１、チューナ部５ａ及び第２処理系ブロック２０ａと同様であるので、その説明を省略する。
【０００８】
合成回路３０は、第１処理系ブロック２０ａのＦＦＴ回路２６ａから出力された信号と、第２処理系ブロック２０ｂのＦＦＴ回路２６ｂから出力された信号とについて、ＯＦＤＭ内の各キャリア毎の信号を比較し、最良の信号を合成して抽出する。復調回路４０は、合成回路３０から出力された信号を復調し、誤り訂正回路５０は、所定の誤り訂正処理を行う。復号部１１は、誤り訂正回路５０から出力された信号を復号し、音声データ及び映像データを抽出する。
【０００９】
ところが、空間ダイバシティでは、物理的に一定の距離を隔てて固定アンテナＡＮＴ１と固定アンテナＡＮＴ３とを備える必要があり、その距離を広げる程に空間ダイバシティの効果が上がるため、受信装置の小型化には限界がある。
【００１０】
そこで、特許文献１に記載の発明のように、イヤホンワイヤをアンテナとして利用し、受信状態の不良が検出されるたびに、２本のイヤホンワイヤを切り替え、切り替えたイヤホンワイヤで受信する切替装置を用いる方法が考えられる。
【特許文献１】特開２００２−３１４４５０号公報
【発明の開示】
【発明が解決しようとする課題】
【００１１】
しかしながら、特許文献１のイヤホンワイヤは、使用者の頭部の動きによって揺動してしまうため、左右２本のイヤホンワイヤ間の距離が安定せず、一定の受信性能を維持することが難しかった。また、アンテナとして利用するイヤホンワイヤを切り替えているため、両方のアンテナの受信状態が悪い場合には、装置全体の受信性能が低下してしまっていた。
【００１２】
本発明は、以上のような課題に鑑みて為されたものであり、その目的とするところは、装置本体の小型化と、空間ダイバシティによる受信性能の向上である。
【課題を解決するための手段】
【００１３】
以上の課題を解決するために、請求項１に記載の発明は、装置本体にイヤホンが接続されて成るダイバシティ受信装置（例えば、図２の受信装置１）において、
電波信号を受信する第１及び第２の受信手段（例えば、図２の固定アンテナＡＮＴ１、小型アンテナ７０ｂ）と、
この第１及び第２の受信手段夫々によって受信された受信信号を合成する合成手段（例えば、図２の合成回路３０）と、
この合成手段により合成された信号を復調する復調手段（例えば、図２の復調回路４０）と、
前記第１の受信手段は前記装置本体内に設けられ前記第２の受信手段は前記イヤホン内に設けられると共に、前記第1及び第２の受信手段が互いに所定の距離を有して配置されていることを特徴としている。
【００１４】
また、請求項６に記載の発明は、電波信号を受信する第１の受信手段を装置本体に設け、電波信号を受信する第２の受信手段をイヤホンに設け、前記装置本体に前記イヤホンが接続されて成るダイバシティ受信装置（例えば、図２の受信装置１）を用いたダイバシティ受信方法であって、
前記第１及び第２の受信手段夫々によって受信された受信信号を合成する合成ステップ（例えば、図２の合成回路３０）と、
この合成ステップにより合成された信号を復調する復調ステップ（例えば、図２の復調回路４０）とを含んでいる。
【００１５】
請求項１及び請求項６に記載の発明によれば、装置本体内に設けられた第１の受信手段と、イヤホン内に設けられた第２の受信手段とが夫々受信した信号を合成し復調するダイバシティ受信装置が実現される。
例えば、地上波デジタルテレビ放送のダイバシティ受信装置において、ユーザが、イヤホンを装着し、装置本体を把持したとする。このとき、通常の使用状態においては、イヤホンと装置本体とは、地上波デジタルテレビ放送の波長の４分の１（例えば、１５ｃｍ）以上の距離で隔てられる。一般に、ダイバシティ受信は、アンテナ間の距離が長くなるほど、受信性能が向上するとともに、アンテナ間の距離を受信電波の波長の４分の１以上とすることで、十分なダイバシティ効果が得られる。従って、当該装置に備えられたアンテナとイヤホンに設けられた小型アンテナとの間の距離により、装置本体の大きさに依存することなく、ダイバシティ受信装置の受信性能を向上させることができる。
【００１６】
請求項２に記載の発明は、請求項１に記載のダイバシティ受信装置（例えば、図５の受信装置１ｄ）において、前記第１の受信手段は前記装置本体内にアンテナ（例えば、図５の固定アンテナＡＮＴ１）を有し前記第２の受信手段は前記装置本体と前記イヤホンとを電気的に接続する信号線（例えば、図５の信号線ケーブルＣｂ）をアンテナとすることを特徴とする。
【００１７】
請求項２に記載の発明によれば、装置本体内に設けられた第１の受信手段と、前記装置本体と前記イヤホンとを電気的に接続する信号線を第２の受信手段とが夫々受信した信号を合成し復調するダイバシティ受信装置が実現される。
例えば、地上波デジタルテレビ放送のダイバシティ受信装置において、ユーザが、イヤホンを装着し、装置本体を把持したとする。このとき、通常の使用状態においては、装置本体とイヤホンとを電気的に接続する信号線と装置本体とは、地上波デジタルテレビ放送の波長の４分の１（例えば、１５ｃｍ）以上の距離で隔てられる。一般に、ダイバシティ受信は、アンテナ間の距離が長くなるほど、受信性能が向上するとともに、アンテナ間の距離を受信電波の波長の４分の１以上とすることで、十分なダイバシティ効果が得られる。従って、当該装置本体に備えられたアンテナと装置本体とイヤホンとを電気的に接続する信号線との間の距離により、装置本体の大きさに依存することなく、ダイバシティ受信装置の受信性能を向上させることができる。
【００１８】
請求項３に記載の発明は、装置本体に左右一対のイヤホンが接続されて成るダイバシティ受信装置（例えば、図３の受信装置１ｂ）において、
電波信号を受信する第１及び第２の受信手段（例えば、図３の小型アンテナ７０ａ、７０ｂ）と、
この第１及び第２の受信手段夫々によって受信された受信信号を合成する合成手段（例えば、図３の合成回路３０）と、
この合成手段により合成された信号を復調する復調手段（例えば、図３の復調回路４０）と、
前記第１の受信手段が前記左右一対の一方のイヤホン内に設けられ前記第２の受信手段が他方のイヤホン内に設けられると共に、前記第１及び第２の受信手段が互いに所定の距離を有して配置されることを特徴としている。
【００１９】
また、請求項７に記載の発明は、電波信号を受信する第１の受信手段を左右一対の一方のイヤホンに設け、電波信号を受信する第２の受信手段を他方のイヤホンに設け、前記装置本体に前記左右一対のイヤホンが接続されて成るダイバシティ受信装置（例えば、図３の受信装置１ｂ）を用いたダイバシティ受信方法であって、
前記第１及び第２の受信手段夫々によって受信された受信信号を合成する合成ステップ（例えば、図３の合成回路３０）と、
この合成ステップにより合成された信号を復調する復調ステップ（例えば、図３の復調回路４０）とを含んでいる。
【００２０】
請求項３及び請求項７に記載の発明によれば、装置本体に接続された左右一対のイヤホン内に設けられた第１及び第２の受信手段で受信した信号を合成して復調するダイバシティ受信装置が実現される。
例えば、ユーザがイヤホンを装着したとする。一般に、人体の右耳から左耳までの距離は約１５〜２０ｃｍある。このため、第１及び第２の受信手段には、地上波デジタルテレビ放送の波長の４分の１（例えば、１５ｃｍ）に相当する距離が得られる。また、イヤホンが装着された状態においては、その距離が変動することはない。従って、各イヤホンに設けられた第１及び第２の受信手段間の一定の距離により、装置本体の大きさに依存することなく、ダイバシティ受信装置の受信性能を向上させることができる。
【００２１】
請求項４記載の発明は、請求項３に記載のダイバシティ受信装置（例えば、図６の受信装置１ｅ）において、
前記第１の受信手段は前記装置本体と前記一方のイヤホンとを電気的に接続する信号線（例えば、図６の信号線ケーブルＣａ）をアンテナとし、前記第２の受信手段は前記装置本体と前記他方のイヤホンとを電気的に接続する他の信号線（例えば、図６の信号線ケーブルＣｂ）をアンテナとすることを特徴としている。
【００２２】
請求項４に記載の発明によれば、装置本体と左右一対のイヤホンとを電気的に接続する信号線を第１及び第２の受信手段として受信された信号を合成して復調するダイバシティ受信装置が実現される。
例えば、ユーザがイヤホンを装着したとする。一般に、人体の右耳から左耳までの距離は約１５〜２０ｃｍある。このため、第１及び第２の受信手段には、地上波デジタルテレビ放送の波長の４分の１（例えば、１５ｃｍ）に相当する距離が得られる。従って、各イヤホンに設けられた第１及び第２の受信手段間の距離により、装置本体の大きさに依存することなく、ダイバシティ受信装置の受信性能を向上させることができる。
【００２３】
請求項５に記載の発明は、装置本体に左右一対のイヤホンが接続されて成るダイバシティ受信装置（例えば、図４の受信装置１ｃ）において、
電波信号を受信する第１及び第２の受信手段（例えば、図４の小型アンテナ７０ｃ、７０ｄ）と、
前記第１及び第２の受信手段により受信された電波信号を増幅する第１及び第２の増幅手段（例えば、図４のＬＮＡ回路７２ｃ、７２ｄ）と、
この第１及び第２の増幅手段夫々によって増幅された受信信号を加算する加算手段（例えば、図４の加算回路６０）と、
この加算手段により加算された信号を増幅し復調する復調手段（例えば、図４の復調部９ｃ）と、
を備え、前記第１の受信手段が前記左右一対の一方のイヤホン内に設けられ前記第２の受信手段が他方のイヤホン内に設けられると共に、前記第1及び第２の受信手段が互いに所定の距離を有して配置されることを特徴としている。
【００２４】
請求項８に記載の発明は、電波信号を受信する第１の受信手段を左右一対の一方のイヤホンに設け、電波信号を受信する第２の受信手段を他方のイヤホンに設け、前記装置本体に前記左右一対のイヤホンが接続されて成るダイバシティ受信装置（例えば、図４の受信装置１ｃ）を用いたダイバシティ受信方法であって、
前記第１及び第２の受信手段により受信された電波信号を増幅する第１及び第２の増幅ステップ（例えば、図４のＬＮＡ回路７２ｃ、７２ｄ）と、
この第１及び第２の増幅ステップ夫々によって増幅された受信信号を加算する加算ステップ（例えば、図４の加算回路６０）と、
この加算ステップにより加算された信号を増幅し復調する復調ステップ（例えば、図４の復調部９ｃ）とを含んでいる。
【００２５】
請求項５及び請求項８に記載の発明によれば、左右一対のイヤホンに配置された第１及び第２受信手段夫々が受信した信号を個別に増幅した後、この増幅した信号を加算して、増幅及び復調するダイバシティ受信装置が実現される。
例えば、ユーザがイヤホンを装着したとする。一般に、人体の右耳から左耳までの距離は約１５〜２０ｃｍある。このため、第１及び第２の受信手段には、地上波デジタルテレビ放送の波長の４分の１（例えば、１５ｃｍ）に相当する距離が得られる。従って、各イヤホンに設けられた第１及び第２の受信手段間の距離により、装置本体の大きさに依存することなく、ダイバシティ受信装置の受信性能を向上させることができる。また、チューナ部を１系統にすることができるため、回路の小型化を実現することができる。
【発明の効果】
【００２６】
本発明によれば、地上波デジタルテレビ放送のダイバシティ受信装置において、第１の受信手段におけるアンテナと第２の受信手段における他のアンテナとを、地上波デジタルテレビ放送の波長の４分の１（例えば、１５ｃｍ）以上の距離で隔てられる。一般に、ダイバシティ受信は、アンテナ間の距離が長くなるほど、受信性能が向上するとともに、アンテナ間の距離を受信電波の波長の４分の１以上とすることで、十分なダイバシティ効果が得られる。従って、装置本体の大きさに依存することなく、ダイバシティ受信装置の受信性能を向上させることができる。特に移動体受信において良い効果がもたらされる。
【発明を実施するための最良の形態】
【００２７】
以下、本発明のダイバシティ受信装置を地上波デジタルテレビ放送の受信装置（以下、単に「受信装置」という。）に適用し、この受信装置を具備する携帯電話機１３の実施形態について図１〜図７を参照して詳細に説明する。尚、背景技術において図７に示して説明した受信装置９００と同一の構成要素には同一の符号を付してその説明を省略する。
【００２８】
図１は、携帯電話機１３の概観と、携帯電話機１３に接続されたイヤホン７ａ，７ｂを装着した様子を示す図である。同図によれば、携帯電話機１３には、本体装置３の上部に伸縮可能な固定アンテナＡＮＴ１が設けられ、耳孔に挿入可能に形成されたイヤホン７ａ及び７ｂが所定の長さ（例えば、イヤホン７ａ及び７ｂから携帯電話機１３までの長さが６０ｃｍ以上）の信号線ケーブルＣａ、Ｃｂを介して接続されている。また、イヤホン７ｂの内部に小型アンテナ７０ｂが内蔵されており、この小型アンテナ７０ｂは信号線ケーブルＣａ、Ｃｂを介して本体装置３内のチューナ部５ｂに電気的に接続される。
【００２９】
ユーザは、イヤホン７ａ及び７ｂを左右の耳に挿入して装着し、本体装置３を把持して、イヤホン７ａ及び７ｂから出力される音声と、ディスプレイ１５に表示される映像とによりテレビ放送を視聴する。
【００３０】
図２は、携帯電話機１３が備える受信装置１の機能構成を示すブロック図である。同図によれば、受信装置１は、本体装置３内に、第１の受信手段である固定アンテナＡＮＴ１を介してテレビ放送を受信するチューナ部５ａと、第２の受信手段である小型アンテナ７０ｂを介してテレビ放送を受信するチューナ部５ｂと、復調部９と、復号部１１とを備えて構成される。尚、同図の網掛け部分内の構成要素は、本体装置３に内蔵された構成要素であることを表している。従って、同図において、イヤホン７ｂは、本体装置３の外部に設けられていることを表している。
【００３１】
小型アンテナ７０ｂは、例えば、高誘電率の材料をベースとした小型且つ薄型のチップアンテナにより構成され、イヤホン７ｂ内に内蔵される。小型アンテナ７０ｂが受信したテレビ放送の電波信号は、信号線ケーブルＣｂを介してチューナ部５ｂへ伝達される。また、本体装置３からイヤホン７ｂへの音声信号（例えば、テレビ放送の音声信号や、携帯電話機１３の受話音声の音声信号）も、信号線ケーブルＣｂを介して伝達される。従って、信号線ケーブルＣｂは、上下両方向に信号を伝達するが、各信号の周波数が異なるため、実現できるものである。
【００３２】
また、復調部９は、第１処理系ブロック２０ａと、第２処理系ブロック２０ｂと、合成回路３０と、復調回路４０と、誤り訂正回路５０とを備えて構成される。
【００３３】
第１処理系ブロック２０ａは、ＡＤＣ回路２２ａと、同期回路２４ａと、ＦＦＴ回路２６ａとを備え、第２処理系ブロック２０ｂは、ＡＤＣ回路２２ｂと、同期回路２４ｂと、ＦＦＴ回路２６ｂとを備えて構成される。これらの回路は従来の受信装置９００と同様である。
【００３４】
次に、受信装置１の具体的な動作を説明する。先ず、チューナ部５ａは、固定アンテナＡＮＴ１を介してテレビ放送を受信し、受信したテレビ放送の電波信号の増幅、中間周波信号への変換、及び利得制御等を行って、復調部９の第１処理系ブロック２０ａへ出力する。
【００３５】
第１処理系ブロック２０ａにおいて、ＡＤＣ回路２２ａは、チューナ部５ａから出力された信号をＡ／Ｄ変換する。同期回路２４ａは、ＡＤＣ回路２２ａによりＡ／Ｄ変換されたデジタル信号を直交復調することによりベースバンドであるＯＦＤＭ信号に再生する（この同期回路による処理を「同期処理」という。）。ＦＦＴ回路２６ａは、同期回路２４ａから出力された信号をＦＦＴ処理して、合成回路３０へ出力する。
【００３６】
チューナ部５ｂは、イヤホン７ｂ内の小型アンテナ７０ｂを介してテレビ放送を受信し、受信したテレビ放送の電波信号の増幅、中間周波信号への変換、及び利得制御等を行って、復調部９の第２処理系ブロック２０ｂへ出力する。
【００３７】
合成回路３０は、第１処理系ブロック２０ａのＦＦＴ回路２６ａによりＦＦＴ処理された信号ＤＳａと、第２処理系ブロック２０ｂのＦＦＴ回路２６ａによりＦＦＴ処理された信号ＤＳｂとについて、ＯＦＤＭ内の各キャリア毎の信号を比較し、最良の信号を合成して抽出する。例えば、信号ＤＳａと信号ＤＳｂとの最大比合成を行う。最大比合成は公知技術であるが、簡単に説明すると、先ず、ＦＦＴ処理された信号ＤＳａ及びＤＳｂであるキャリア領域の信号（ＯＦＤＭ周波数領域信号）の中から、ＯＦＤＭ方式による変調時に予め挿入されたＳＰ信号（スキャッタードパイロット信号）を抽出し、同一周波数のサブキャリア毎の振幅レベルを計算する。そして、この計算結果に基づいて、合成後のサブキャリアのＣＮ比が最も小さくなるように、信号ＤＳａ及び信号ＤＳｂのサブキャリアを合成する。尚、合成回路３０の合成方法は、等利得合成を用いることとしてもよい。
【００３８】
復調回路４０は、合成回路３０から出力された信号を復調する。誤り訂正回路５０は、所定の誤り訂正処理を行って、復号部１１へ出力する。
【００３９】
以上、本実施形態によれば、本体装置３に設けられた固定アンテナＡＮＴ１を介して受信したテレビ放送と、イヤホン７ｂ内に内蔵された小型アンテナ７０ｂを介して受信したテレビ放送とを合成回路３０により合成するダイバシティ受信装置が実現される。例えば、ユーザが携帯電話機１３でテレビ放送を視聴するとき、イヤホン７ｂは片耳に装着され、本体装置３は把持される。このとき、小型アンテナ７０ｂと、固定アンテナＡＮＴ１との間には、テレビ放送の波長の４分の１（例えば、５００ＭＨｚのテレビ放送であれば、１５ｃｍ＝６０ｃｍ／４）以上の距離ができる。一般に、ダイバシティ受信は、アンテナ間の距離が長いほど、受信性能が向上するとともに、アンテナ間の距離を受信電波の波長の４分の１以上とすることで、十分なダイバシティ効果が得られる。従って、固定アンテナＡＮＴ１と小型アンテナ７０ｂとの距離により、ダイバシティ受信装置の受信性能を向上させることができる。特に、移動体受信において極めて良い効果がもたらされる。
【００４０】
以上、本実施形態では、固定アンテナＡＮＴ１と小型アンテナ７０ｂとによりダイバシティ受信を行うこととして説明したが、本発明の適用が可能な形態はこれに限らず適宜変更することとしてよい。以下、小型アンテナ２つをイヤホン内に内蔵した場合の第１及び第２変形例を説明する。
【００４１】
〔第１変形例〕
先ず、本実施形態の第１変形例を説明する。図３は、第１変形例の受信装置１ｂの機能構成を示すブロック図である。尚、本実施形態において図２に示して説明した受信装置１と同一の構成要素には同一の符号を付して、その説明を省略する。
【００４２】
第１変形例における受信装置１ｂは、図２に示した受信装置１の固定アンテナＡＮＴ１をイヤホン７ａ内に内蔵される小型アンテナ７０ｂに置き換えた構成である。小型アンテナ７０ａは、信号線ケーブルＣａを介してチューナ部５ａに電気的に接続されて構成される。小型アンテナ７０ａが受信したテレビ放送の電波信号は、信号線ケーブルＣａを介してチューナ部５ａへ伝達される。また、本体装置３ｂからイヤホン７ａへの音声信号も、信号線ケーブルＣａを介して伝達される。
【００４３】
この第１変形例によれば、イヤホン７ａに内蔵された小型アンテナ７０ａと、イヤホン７ｂに内蔵された小型アンテナ７０ｂとにより受信されたテレビ放送を合成回路３０により合成するダイバシティ受信装置が実現される。ユーザによりイヤホン７ａ及び７ｂが左右の耳孔に装着されると、各イヤホン内に内蔵された小型アンテナ７０ａ及び７０ｂの間には、ユーザの頭部の幅に応じた距離ができる。一般に、人体の右耳から左耳までの距離は、約１５〜２０ｃｍある。また、ユーザが装着している間は、ユーザの挙動によってこの距離が変動することがない。従って、小型アンテナ７０ａ及び７０ｂ間の一定した距離により、ダイバシティ受信装置の受信性能を向上させることができる。特に、移動体受信において極めて良い効果がもたらされる。
【００４４】
〔第２変形例〕
次に、本実施形態の第２変形例を説明する。図４は、第２変形例の受信装置１ｃの機能構成を示したブロック図である。尚、本実施形態において図２に示して説明した受信装置１と同一の構成要素には同一の符号を付して、その説明を省略する。
【００４５】
図４によれば、第２変形例における受信装置１ｃは、本体装置３ｃの外部に設けられたイヤホン７ｃ及び７ｄと、加算回路６０と、本体装置３の内部に設けられたチューナ部５ｃと、復調部９ｃと、復号部１１とを備えて構成される。また、イヤホン７ｃは、小型アンテナ７０ｃとＬＮＡ（Low Noise Amplifier）回路７２ｃとを内蔵し、イヤホン７ｄは、小型アンテナ７０ｄとＬＮＡ回路７２ｄとを内蔵する。また、加算回路６０は、図１のように、信号線ケーブルＣａ、Ｃｂの中途に設けられ、ＬＮＡ回路７２ｃ及び７２ｄは、信号線ケーブルＣａ、Ｃｂ及び加算回路６０を介して本体装置３ｃ内のチューナ部５ｃに電気的に接続されている。
【００４６】
イヤホン７ｃの小型アンテナ７０ｃで受信されたテレビ放送は、ＬＮＡ回路７２ｃにより増幅される。また、イヤホン７ｄの小型アンテナ７０ｄで受信されたテレビ放送は、ＬＮＡ回路７２ｄにより増幅される。加算回路６０は、ＬＮＡ回路７２ｃにより増幅されたテレビ放送における信号と、ＬＮＡ回路７２ｄにより増幅されたテレビ放送における信号とを加算合成して、チューナ部５ｃへ出力する。
【００４７】
チューナ部５ｃは、加算回路６０で合成された信号の中間周波信号への変換及び利得制御等を行って復調部９ｃへ出力する。復調部９ｃは、チューナ部５ｃから出力された信号の、Ａ／Ｄ変換、ＦＦＴ処理、復調処理及び誤り訂正処理等を行って復号部１１へ出力する。
【００４８】
以上、第２変形例によれば、イヤホン７ｃに内蔵された小型アンテナ７０ｃにより受信されたテレビ放送を増幅し、イヤホン７ｄに内蔵された小型アンテナ７０ｄにより受信されたテレビ放送を増幅し、増幅後のテレビ放送の電波信号を加算合成した後、本体装置３ｃ内のチューナ部５ｃへ出力するダイバシティ受信装置が実現される。第１変形例と同様に、イヤホン装着時には、小型アンテナ７０ｃ及び７０ｄの間に、ユーザの頭部の幅に応じた距離が生じる。従って、小型アンテナ７０ｃ及び７０ｄ間の一定距離により、ダイバシティ受信装置の受信性能を向上させることができる。
【００４９】
但し、小型アンテナ７０ｃ、７０ｄで受信した受信信号は、位相にズレが生じる。この、位相のズレた受信信号をチューナ部５ｃの前段で加算合成すると、互いに信号を打ち消し合うため、上述した実施形態及び第１変形例よりも受信性能が劣化してしまう可能性がある。しかし、チューナ部と復調部とが１系統で済むため、一層の省電力化及び本体装置の小型化を実現することができる。
【００５０】
尚、上述した第１変形例及び第２変形例において、イヤホンは信号線ケーブルＣａ、Ｃｂを介して本体装置に接続されるものとして説明したが、例えば、イヤホンと本体装置とが一体に形成されたヘッドホン型のダイバシティ受信装置として構成することとしてもよい。
【００５１】
また、小型アンテナによりテレビ放送を受信することとして説明したが、アンテナと本体装置とを接続する信号線をアンテナとして利用し、テレビ放送を受信することとしてもよい。
【００５２】
図５に、信号線ケーブルＣｂをアンテナとして利用した場合の受信装置１ｄの回路構成の一例を示す。同図における受信装置１ｄは、図２に示した受信装置１において、小型アンテナ７０ｂの代わりに、信号線ケーブルＣｂでテレビ放送を受信する回路構成である。なお、信号線をアンテナとして利用する技術は上述した通り公知の技術であり、信号線ケーブルＣｂ中の導線により伝達される本体部３側からイヤホン７ｅ側への音声信号と、テレビ放送の受信信号とは、周波数の帯域が異なるため、上下両方向への信号伝達も支障なく実現できるものである。
【００５３】
また、図６のように左右のイヤホンを接続する信号線ケーブルＣａ及びＣｂそれぞれでテレビ放送を受信することとしてもよい。
【００５４】
更に、本実施形態において、本発明を地上波デジタルテレビ放送の受信装置として説明したが、本発明の適用可能なものはこれに限られたものではなく、適宜変更可能である。例えば、地上波アナログテレビ放送、ＦＭ放送、ＡＭ放送等の受信装置に適用することとしてもよいし、携帯電話機１３等の通信装置に適用することとしてもよい。
【図面の簡単な説明】
【００５５】
【図１】本発明の実施形態における携帯電話機の概観と、携帯電話機に接続されたイヤホンを装着した様子を示す図。
【図２】本発明の実施形態における受信装置の機能構成を示すブロック図。
【図３】本発明の第１変形例における受信装置の機能構成を示すブロック図。
【図４】本発明の第２変形例における受信装置の機能構成を示すブロック図。
【図５】本発明の第３変形例における受信装置の機能構成を示すブロック図。
【図６】本発明の第４変形例における受信装置の機能構成を示すブロック図。
【図７】従来の受信装置の機能構成を示すブロック図。
【符号の説明】
【００５６】
１     受信装置
３     本体装置
ＡＮＴ１      固定アンテナ
５ａ   チューナ部
２０ａ 第１処理系ブロック
２２ａ ＡＤＣ回路
２６ａ ＦＦＴ回路
２４ａ 同期回路
７ｂ   イヤホン
７ｂ   小型アンテナ
５ｂ   チューナ部
２０ｂ 第２処理系ブロック
２２ｂ ＡＤＣ回路
２６ｂ ＦＦＴ回路
２４ｂ 同期回路
３０   合成回路
４０   復調回路
５０   訂正回路
９     復調部
１１   復号部
【図１】
2005260701.tif 000003
【図２】
2005260701.tif 000004
【図３】
2005260701.tif 000005
【図４】
2005260701.tif 000006
【図５】
2005260701.tif 000007
【図６】
2005260701.tif 000008
【図７】
2005260701.tif 000009